(57)【要約】【課題】  底版の両側に側版を起立した強度の高いＵ型コンクリートブロックの提供。【解決手段】  底版２に穴５を貫通し、該穴５の形状を側版側での幅寸法を縮小することで底版断面積を拡大し、そして穴内周面８を僅かに傾斜している。【選択図】    図１
2009275454.tif 000002
【特許請求の範囲】
【請求項１】
底版の両側に側版を起立したＵ型コンクリートブロックにおいて、該底版に穴を貫通し、該穴の形状を側版側での幅寸法を縮小することで底版断面積を拡大し、そして穴内周面を僅かに傾斜したことを特徴とするＵ型コンクリートブロック。
【請求項２】
底版の両側に側版を起立したＵ型コンクリートブロックにおいて、該底版に穴を貫通し、該穴の形状を側版側での幅寸法を縮小することで底版断面積を拡大し、又、底版端部には半穴を貫通して設け、そして穴内周面及び半穴内周面を僅かに傾斜したことを特徴とするＵ型コンクリートブロック。
【請求項３】
上記穴の形状を両側版方向に延びる概略長方形とした請求項１又は請求項２記載のＵ型コンクリートブロック。
【請求項４】
上記穴の形状を両側版方向に延びる概略長円形とした請求項１、又は請求項２記載のＵ型コンクリートブロック。
【発明の詳細な説明】
【技術分野】
【０００１】
本発明は安定して据付けが出来ると共に、特別な補強材を用いることなく底版強度の向上を図ったＵ型のコンクリートブロックに関するものである。
【背景技術】
【０００２】
Ｕ型のコンクリートブロックは一般に水路として多用され、その用途は多岐にわたっているが、例えば水田の排水路や道路の側溝などに利用されている。枠組みした型枠にコンクリートを打設して水路を造成する場合に比較して、所定のＵ型形状に形作られたコンクリートブロックを配列することで水路を簡単に施工することが出来る為に、Ｕ型のコンクリートブロックが多用されている。
【０００３】
古くから水路は、両側壁と底面の３面が土砂で形成された断面逆台形状の土水路であったが、側面の土砂の崩落を防ぐためには法面勾配を緩勾配とすることが必要となる。その結果、表面の土地の有効面積が減少してしまい、又水路周辺や水路内においても雑草が大量に繁茂することで草刈作業が必要である。そこで、近年においては、上記Ｕ型コンクリートブロックを用いることで施工を含めた直工費が安く、しかも、工場などにおける生産性に優れることに加え、土地の有効面積の増大、確実な流量の確保、雑草生長の防止などが図られる。
【０００４】
図５は一般的なＵ型コンクリートブロックの外観を示している。該Ｕ型コンクリートブロックは底版（イ）と側版（ロ）、（ロ）から構成してＵ型形状を成している。このＵ型コンクリートブロックはコンクリートで造成した平坦な基礎面の上に配列して据付け、該底版（イ）の上にはコンクリートが打設されて水路の底面を形成する。
【０００５】
図６はＵ型コンクリートブロックを据付けた場合の水路断面を示している。Ｕ型コンクリートブロックは平坦な基礎（ハ）に載置され、そして底にはコンクリートが打設されて水路の底面（ニ）を形成し、該コンクリート（ホ）は底版（イ）に設けている穴（ヘ）に充填される。従って、該コンクリート（ホ）は基礎（ハ）と一体化して該Ｕ型コンクリートブロックは基礎（ハ）に固定される。
【０００６】
又側版（ロ）には複数本の鉄筋（ト）が埋着されていて、該側版（ロ）の強度を確保している。ところが、水路に大量の水が流れて水深が深くなると水圧が側版（ロ）に働いて底版（イ）の側端部にて亀裂が発生する。すなわち、底版（イ）に穴（ヘ）を形成することで、側端部領域の強度が弱くなる。一方、Ｕ型コンクリートブロックが地中に埋着される場合には、側版（ロ）の外表面に作用する土圧によって同じく底版の側端部が弱くなる。
【発明の開示】
【発明が解決しようとする課題】
【０００７】
このように、従来のＵ型コンクリートブロックには上記のごとき問題がある。本発明が解決しようとする課題はこの問題点であり、底版の側端部強度を増強したＵ型コンクリートブロックを提供する。
【課題を解決するための手段】
【０００８】
本発明に係るＵ型コンクリートブロックは底版と両側版から成り、側版は底版の両側に垂直に起立して、Ｕ型断面形状としている。そして、底版には穴が貫通して設けられているが、この穴の形状は概略長方形を成し、両側版側での幅寸法は小さく成っている。従って、底版の側版側での断面積は大きくなって曲げ強度は向上する。ここで、Ｕ型コンクリートブロックの長さ及び高さ（底版及び側版の長さ、底版の高さ）は限定しない。
【０００９】
そして、上記底版に形成される概略長方形穴の個数は１個、又は複数個とし、端部には半分の穴(半穴)が形成される。すなわち、Ｕ型コンクリートブロックが配列した場合に隣り合うＵ型コンクリートブロックにて組み合わされることで概略長方形穴となる。さらに、穴の内周面は僅かに傾斜し、上面側の概略長方形が大きくなるように傾斜している。ここで、穴及び半穴の具体的な形状は限定せず、側版側での幅寸法を縮小したものであればよい。例えば、概略長円形とすることも可能である。
【発明の効果】
【００１０】
本発明のＵ型コンクリートブロックは底版の両側に側版を垂直に起立したＵ型を成し、コンクリート基礎に配列することで水路を構成することが出来る。そして、基礎に載置したＵ型コンクリートブロックの底版上にはコンクリートが打設されて水路底を形成するが、底版には穴及び半穴が貫通して設けられていることで、コンクリートは穴に充填されると共に基礎と一体化する。
【００１１】
従って、Ｕ型コンクリートブロックは安定して据付けられる。一方、底版に設けられる上記穴は両側版方向へ延びる概略長方形又は概略長円形であるが、側版側では幅寸法が縮小され、底版の断面積は側版側では大きくなり、曲げ強度は向上する。その為に、側版の内側に作用する水圧、又は側版の外側に作用する土圧によって底版に亀裂が生じることはない。本発明は底版に特別な補強材を埋着することなく、貫通穴の形状を工夫することで該底版の曲げ強度の向上を図っている。
【実施例】
【００１２】
図１は本発明に係るＵ型コンクリートブロック１の外観を示す実施例である。同図の２は底版、３は側版を表しており、側版３，３は底版２の両側に垂直に起立し、その形状はＵ型を成している。側版３，３の上端には上蓋係合溝４，４が長手方向に連続して設けられ、両側版３，３に跨った上蓋（図示なし）の両側端が上蓋係合溝４，４に係合して載置される。
【００１３】
このＵ型コンクリートブロック１は長手方向に配列して据付けられて所定の水路を構成することが出来る。これはコンクリートを造成した基礎の上に設置され、底版２にはコンクリートを打設して水路底が形成される。図１のＵ型コンクリートブロック１は側版上端に上蓋が取付けられるように上蓋係合溝４，４を形成し、道路の側溝用として用いられる形態であるが、水田の水路を構成する場合には上記上蓋を取付けない場合も多い。そこで、上蓋を取付けない場合には側版上端に上蓋係合溝４，４を形成する必要はなくなる。
【００１４】
ところで、底版２には概略長方形の穴５が貫通して形成され、又底版端部には配列した際に隣り合うＵ型コンクリートブロック１の底版２とで組合せ形成される半穴６，６を設けている。図２はＵ型コンクリートブロック１の平面図であり、同図に示すごとく、概略長方形穴５は両側版方向へ延びていて、側版側での幅寸法Ｍは小さく成っている。
【００１５】
その為に、側版側での底版２の断面積は拡大し、この部分での曲げに対する強度は向上する。底版２の端部に形成している半穴６，６の場合も同じく、側版側での幅寸法Ｍ／２が縮小している。ところで、穴５の形状は同図に示す場合に限定せず、側版側にて幅寸法が縮小する形状であればよい。例えば、長円形の穴５とすることも出来る。この場合、半穴６の場合も同じく半長円形となる。
【００１６】
図３はＵ型コンクリートブロック１の縦断面を示しているが、側版３には鉄筋７，７・・が埋着されていて、該側版３の強度を増強している。勿論、底版２にも鉄筋７，７・・を埋着しているが、穴５及び半穴６，６を設けることで該鉄筋７，７・・の埋着本数は少なくなる。その結果、底版２の曲げ強度が低下する為に、本発明では概略長方形穴又は概略長円形穴を設けて側版側での強度補強を図っている。
【００１７】
そして、底版２に形成している穴５の内周面８は僅かに傾斜し、上面側の概略長方形が大きく成っている。従って、Ｕ型コンクリートブロック１を基礎上に載置してセメントと底に打設するならば、該コンクリートは穴５に充填されて基礎と固着して一体化され、設置したＵ型コンクリートブロック１は浮上することなく固定される。
【００１８】
同じく半穴６にも充填されて、隣り合うＵ型コンクリートブロック１，１・・と互いに連結される。従って、各Ｕ型コンクリートブロック１，１・・は安定して据付けられると共に、隣り合うＵ型コンクリートブロック１，１・・と位置ズレすることはない。そして、側版３，３・・の上端外側面には連結用インサート９，９・・が埋着され、連結プレート（図示なし）にて連結することが出来る。
【００１９】
又、両側版３，３の上端に形成した上蓋係合溝４，４の溝底１０，１０には固定用インサート１１，１１・・が埋着され、載置される上蓋１２は該固定用インサートにネジ止めされる。図４はＵ型コンクリートブロック１の上端に上蓋１２，１２を載置して取付けた場合を示している。
【図面の簡単な説明】
【００２０】
【図１】本発明にかかるＵ型コンクリートブロックを示す外観図。
【図２】Ｕ型コンクリートブロックの平面図。
【図３】Ｕ型コンクリートブロックの縦断面図。
【図４】Ｕ型コンクリートブロックの上端に上蓋を載置して取付けた場合。
【図５】従来のＵ型コンクリートブロック。
【図６】Ｕ型コンクリートブロックを据付けた場合の縦断面図。
【符号の説明】
【００２１】
１  Ｕ型コンクリートブロック
２  底版
３  側版
４  上蓋係合溝
５  穴
６  半穴
７  鉄筋
８  内周面
９  連結用インサート
10  溝底
11  固定用インサート
12  上蓋
【図１】
2009275454.tif 000003
【図２】
2009275454.tif 000004
【図３】
2009275454.tif 000005
【図４】
2009275454.tif 000006
【図５】
2009275454.tif 000007
【図６】
2009275454.tif 000008